(57)【要約】【課題】混乱する危険性なく、少なくとも二つの異なる種類の時間情報を明確に表示する。【解決手段】少なくとも二つの他の項目の時間情報のための表示部４を有するアナログ電気時計であり、万年暦回路に日の信号Ｓj を出す計時回路を具備し、その万年暦回路は、命令信号Ｓk に応答して、表示部４の情報によって占められる順序を示す順序信号Ｓc と、表示される時間情報の瞬間の順序の値を示すディスク信号ＳD とを出し、万年暦回路では、戻って信号Ｓc 及びＳD を分析する比較器−減算器は、ＳD ＝Ｓc になるまで表示部４を変更する信号ＳR を出し、少なくとも二つの異なる領域４ａ、４ｂを有する表示部４は、連続的な順序を占める異なる記号を有する。【選択図】図１
2007041011.tif 000002
【特許請求の範囲】
【請求項１】
モータＭ1 により駆動される針（１、２、３）によって第一の表示部に時間を表示するための、及び第二の逆転可能なステッピングモータＭ2により互いに関して移動可能なディスク（５、７）及び表示器（６、８）による第二の表示部（４）において、一方を連続的に読み取ることができるようになっている少なくとも二つの他の項目の時間情報を表示するための電気アナログ時計であって、
時間を表示するためのモータＭ1 の、駆動回路（１４）及び日々の信号Ｓjも出すようになっている計時回路（１０）を具備し、
表示されなければならない時間情報の種類を示す信号ＳK を出す外部制御手段の操作の判断回路（１５）を具備し、
万年暦の処理回路を具備し、該処理回路は、一方に、主要なブロック（２０）を具備し、該主要なブロック（２０）は、カレンダのカウンタ（２１、２２、２３）とマルチプレクサ（２４）を有し、かつ信号Ｓj 及びＳk に応答して前記表示部（４）の前記情報の順序を示す順序信号Ｓc を出し、更に前記処理回路は、従属的なブロック（３０）を具備し、該従属的なブロック（３０）は、表示された時間情報の瞬間の順序の値を示すディスク信号ＳD を比較器−減算器（３２）に送るカウンタ（３１）を有する、電気アナログ時計において、
前記比較器−減算器（３２）は、更に前記順序信号Ｓc を受け取りかつ出力部で信号ＳR を出し、該信号ＳR は、駆動回路（３３）によって前記モータＭ2 のステッピングモータの回転方向を決定可能であり、かつＳD ＝Ｓc になるまで循環して前記カウンタ（３１）を増減可能であり、更に前記表示部（４）は、それぞれの種類の時間情報のための異なる記号を有する少なくとも二つの異なる領域（４ａ、４ｂ）を有し、該領域（４ａ、４ｂ）の前記記号は、前記表示部（４）に連続的な順序を占めることを特徴とする電気アナログ時計。
【請求項２】
前記表示部（４）は、開口（６）に向かい合って前記時間の記号を移動する回転可能なディスク（５）で構成されることを特徴とする請求項１に記載の電気アナログ時計。
【請求項３】
前記表示部（４）は、時間の記号を保持している固定されたディスク（７）と、前記時間の記号に向かい合って移動する補助針（８）とで構成されることを特徴とする請求項１に記載の電気アナログ時計。
【請求項４】
前記判断回路（１５）は更に時間遅延継電器を有し、該時間遅延継電器により、所定の存続期間の間、新しい項目の時間情報が表示可能であり、あるいは所定の期間連続して幾つかの項目の時間情報が表示可能であることを特徴とする請求項１〜３のいずれか一つの項に記載の電気アナログ時計。
【請求項５】
各記号の角度的な時間のずれは、すべての前記表示領域（４ａ、４ｂ）で同様であることを特徴とする請求項１〜４のいずれか一つの項に記載の電気アナログ時計。
【請求項６】
前記時間の記号の角度的な時間のずれは、一つの表示領域から他の表示領域まで異なることを特徴とする請求項１〜４のいずれか一つの項に記載の電気アナログ時計。
【請求項７】
一つの表示領域は月の日に対応し、更に一つ又は幾つかの他の領域は、週の日の名前、年の月の名前、又は年の周期の数に対応することを特徴とする請求項１〜４のいずれか一つの項に記載の電気アナログ時計。
【発明の詳細な説明】
【技術分野】
【０００１】
本発明は、現在の時間の表示に加えて、同一の移動する又は固定されたディスクにより保持される異なる記号によって少なくとも二つの他の項目の時間情報の表示を可能にする多機能カレンダディスクを有するアナログ電気時計に関する。
【０００２】
現在の時間を表示する、時計の第一の機能の他に、例えば月の日、年の周期の数、又は現在の月の名前である、他の時間情報を更に有することがしばしば必要とされる。
【背景技術】
【０００３】
この型式の時間情報を供給するために、時計は、月の日を表す３１の連続的な姿勢に分割された回転ディスクを有するものが既に周知であり、該姿勢の幾つかは、必要に応じて現在の月の日以外に時間情報を提供可能である。この型式の時計は、詳細にはスイス特許第663 512 号に記載されている。この文献では、例として示されている実施形態は、計時回路のクロック信号が万年暦回路の処理回路によって使用される、時計に特に関係し、その処理回路は、日、月、及び年のためのカウンタを具備し、現在の月の数に対応する１２の最初の姿勢の一つまで、月の日のディスクの回転が制御可能である。他の実施形態に関し、週の日の数を示す最初の７の姿勢が使用される、又は四年周期の年の周期の数を示す４の最初の姿勢が使用される。この種類の装置は、様々な項目の時間情報がダイアル、ディスク、又は様々な竜頭によって表示されていた、従来の周知の装置よりも、簡単な機械的な構成を有することで効果的である。
【０００４】
しかしながら、この装置は、例えば同一の数字１１が、現在の年の１１番目の月と同様に、いずれかの月の１１日を示すことが可能なために、適切に注意深いユーザーにとっては、読み取った情報が不確かであるという課題を有する。
【０００５】
更に３１以上の等しい部分に分割されたディスク又は竜頭を有する時計が周知である。欧州特許第0 366 610 号は、例えば、現在の年の週の順序を示す５２の等しい部分に分割される竜頭を備えた携帯時計を示す。類似して、スイス特許第557 052 号は、１〜４９の部分からなる等しい部分に分割されたディスクを有する携帯時計を示す。この種類の装置は、異なる項目の時間情報を表示するためにこれらの姿勢のいくつかが使用される場合に、上述されたものと同様の課題を有する。
【０００６】
最後に、幾つかの文献は、連続する五週の日が印された異なる竜頭の３５の等しい部分に整列されるのに適した３５の等しい部分を具備する竜頭に、月の日が３１の状態を占める、装置を説明している。月の日によって自由にされた四つの部分は、他の時間の機能に使用されない。この種類の時計は、例えば仏国特許第996 795 号及びスイス特許第667 965 号に記載されている。類似して、米国特許第3 760 585 号は、数１及び３１を有する月の日の間に９の姿勢が自由にされた時計を説明している。
【０００７】
仏国特許第2 605 118 号では、四つの領域は、四つの連続する年の１２の月を表す記号によって占められ、更に四つの他の領域は、１２の禁止された段階に対応し、それゆえ時間情報を出さない。
【発明の開示】
【発明が解決しようとする課題】
【０００８】
示されたように、従来の技術に示された時間表示器は、一つ以上の種類の項目の時間情報を表示可能であるが、その表示は、ディスクの全体又は一部のまわりに規則的に間隔をあけられた同一の性質の記号のみによって行われ、表示される情報の性質に関して混乱を生じる危険性が存在し、領域は、付加的な時間情報を提供しない記号が欠けている可能性がある。
【０００９】
本発明は、カレンダディスクが異なる型式の記号を備えた少なくとも二つの表示領域を有し、混乱する危険性なく、必要に応じて、少なくとも二つの異なる種類の時間情報を明確に表示することが可能な、時計を提供することにより、この従来の技術の課題を克服することを目的とする。
【課題を解決するための手段】
【００１０】
従って、本発明に関する時計は、モータＭ1 により駆動される針によって現在の時間を表示する第一表示部と、少なくとも二つの他の項目の時間情報を表示するための、第二の逆転可能なステッピングモータＭ2 によって互いに関して移動可能なディスク及び表示器による第二表示部とを有する。
その時計は、
日の信号Ｓj を出す時間を表示するモータＭ1 のための、計時回路及び駆動回路と、
表示されなければならない一つ又は幾つかの項目の時間情報を表す信号Ｓk を出す外部命令手段の操作を判断する回路と、
“主要なブロック”と示された第一ユニットと“従属的なブロック”と示された第二ユニットとを具備する万年暦の処理回路と、
を具備する。
【００１１】
主要なブロックは、カレンダカウンタ及びマルチプレクサを有し、更に信号Ｓj 及びＳk に応答して、前記情報の順序を表す順序信号Ｓc を第二表示部に出す。
【００１２】
従属的なブロックは、現在表示されている時間情報の瞬間の順序の値を表すディスク信号ＳD を比較器−減算器に出すカウンタを有する。
【００１３】
本発明の特徴として、比較器−減算器は、順序信号Ｓc を受け取りかつ出力部で信号ＳR を出し、開始回路によってモータＭ2 のステッピングモータの回転方向を限定すること、更にディスクの信号ＳD が順序信号Ｓc に等しくなるまで戻って従属的なブロックのカウンタを増減することが可能にされる。言い換えれば、第二表示部の移動性の要素は、ＳD ＝Ｓc になるまで、つまり呼び出された時間情報が表示されるまで、表示される。
【００１４】
更に本発明の特徴として、第二表示部は、それぞれの種類の項目の時間情報のために異なる記号を有する少なくとも二つの異なる領域を有し、該領域の記号は、表示部に連続的な順序を占有する。
【００１５】
第二表示部は、開口部に向かい合って記号を移動する回転可能なディスク、又は固定されたディスクに保持された記号に向かい合って移動する針で構成可能である。
【００１６】
上述されたように、“カレンダディスク”は、上述された意味で、つまり幾つかの数の姿勢を有するディスクを示すように、理解されなければならない。しかしながら、好適な実施形態に関し、一つの領域は、月の連続する数の日のために３１の姿勢を有する。
【００１７】
本発明に関する一つの時計は、例えば３５の姿勢を有することが可能であり、３１の姿勢のアラビア数字の月の日の表示、及び４の次の姿勢のローマ数字の年の周期の数の表示が可能にされ、あるいは３８の姿勢を有することが可能であり、月の日の表示及び一つ又は幾つかの文字を使用する週の日の表示が可能にされ、あるいは５０の姿勢を有することが可能であり、月の日、週の日、及び月の名前の表示が可能にされる。判断回路の構想に依存して、これらの異なる項目の時間情報は、例えば竜頭への連続的な加圧によって呼び出されることが可能にされ、あるいは単一の加圧により、所定の順序に従った前記項目の時間情報が出されることが可能にされ、続いて例えば現在の月の日である、好適な時間情報に自動的に戻る。それぞれの項目の時間情報の表示の期間は、前記判断回路に組み込まれた時間遅延継電器によって調節される。
【発明を実施するための最良の形態】
【００１８】
図１に示されるように、本発明に関する携帯時計は、第一の不変の表示部と、必要に応じて及び少なくとも一つの外部命令手段によって変更可能である第二の表示部とを有する。不変の表示部は、従来の方法の時針１、分針２及び秒針３で構成され、それらは、モータＭ1 により従来の携帯時計のムーブメントによって単一方向に駆動される。必要に応じての表示部は、月の日のディスク５で構成され、月の日のディスク５は、全部で３５の規則的に間隔があけられた姿勢を備えた表示部４を有し、かつ逆転可能なモータＭ2 によって開口６に向かい合って配置可能であり、モータＭ2 は、万年暦の処理回路によって制御される。表示部４は二つの領域４ａと４ｂに分割され、それらの領域は、それぞれ月の日の連続的な通し番号のための１〜３１のアラビア数字と、４年の周期のうちの現在の年の姿勢のためのローマ数字Ｉ、ＩＩ、ＩＩＩ及びＩＶとを有する。示されている携帯時計では、命令手段は、その上に圧力が及ぼされることが可能な竜頭で構成される。短い加圧により、開口には、月の日の１１の表示にかわって、例えば“ＩＩＩ”である、年の周期の表示が配置されることが可能にされ、続いて新たな加圧により、表示部は初期の状態“１１”に戻る。二度連続的に短い加圧を行うことにより、年の周期“ＩＩＩ”の表示は、例えば８秒である、所定の期間ほど表示され、更にディスクは、月の日“１１”の好適な表示に自動的に戻る。更にモータが動かなくなった際に、時計が、例えば第一の姿勢が表示される際にもたらされる接触による自動的な再同期手段を有さない場合には、竜頭による適切な操作によって、時間情報の項目の修正、及びの計時用表示器の手動の再同期が可能にされる。
【００１９】
図２に示される電気回路は、本発明の時計の作動に必要な三つのモジュールの構成要素を概略に示す。第一のモジュールは計時回路１０であり、第二のモジュール２０（主要なブロック）は、第三のモジュール３０（従属的なブロック）と共に万年暦回路を形成する。
【００２０】
計時回路１０は、それ自体周知の方法であり、水晶振動子１２によって振動数を安定化された発振器１１を具備し、水晶振動子１２は、例えば３２７６８Ｈｚである信号を周波数分割装置１３に供給する。周波数分割装置１３は、アナログ表示の針１、２、３を駆動する第一モータＭ1 に指令を出すドライバ１４のための第一の信号Ｓ1 を出す。更に周波数分割装置１３は、主要なブロック２０の増加に適した第二の日々の信号Ｓj を出す。
【００２１】
更に信号Ｓj は、針の駆動部に結合された機械的な接触部によって出された信号ＳM を処理することによって得られ、その接触部は、１２時間毎に閉鎖する。
【００２２】
主要なブロック２０は、月の日（５ビット）、月（４ビット）及び年（２ビット）用の、（図示されない）従来の方法で組み立てられた二進法のカウンタ２１、２２、２３を具備する。更に主要なブロック２０は、竜頭９の位置で行われる判断回路１５の操作を介して、回転するディスク５によって表示される時間情報を表す信号Ｓk を受け取る。受け取られる信号Ｓk の関数として、カウンタ２１、２２及び２３の内容はマルチプレクサ２４読み取られ、マルチプレクサ２４は、その出力部で、“従属的なブロック”３０のための“順序値”と称される値を表す信号ＳC を出す。この順序値は、ディスク５の表示部４に、信号Ｓk に対応する時間情報によって占められる順序を示す。
【００２３】
従属的なブロック３０はディスクカウンタ３１を具備し、開口６に表示された最後の姿勢が記憶される。カウンタ３１は、必要なだけのビットを有し、ディスクのすべての姿勢を記憶する。それゆえこの例では、カウンタ３１は、３５の姿勢１〜３１、Ｉ〜ＩＶのための６ビットを有し、それゆえ姿勢Ｉ〜ＩＶは、順序３２〜３５によってカウンタに示される。その出力部では、カウンタ３１は、ディスクの値を表す信号ＳD を出す。信号ＳC 及びＳD は比較器−減算器３２で読み取られ、比較器−減算器３２は、その出力部で、ドライバ３３の介してステッピングモータによって駆動される、第二モータＭ2 の回転方向を決定する信号ＳR を出す。更に信号ＳR により、ディスクの新しい値を有するカウンタ３１の増加又は減少が可能にされる。同様のオペレーションは、ディスクの値が順序値に等しくなるまで、循環して継続する。言い換えれば、信号ＳR はレベル０になり、更にモータＭ2 はもうモータのインパルスを受け取らなくなる。
【００２４】
更に説明されたばかりの回路図は、判断回路１５によってマルチプレクサ２４の方に出された信号Ｓ1 、Ｓ2 、Ｓ3 を示し、必要な場合に、万年暦回路の修正が行われる。更に注目されることとして、年の周期の表示のために月の日の３１の姿勢が使用されることが望まれる場合に、上述されたスイス特許第663 512 号の装置の場合のように、２ビットの年の周期のカウンタ２３とマルチプレクサ２４との間にデコーダが挿入される必要はない。従って本発明により、この点で簡略化された構想が可能にされる。
【００２５】
図１の例に戻り、ディスクは３５の姿勢を有し、最も短いルートを決定する比較器−減算器３２の参照値は、｜１８｜である。表示部は月の１１日を示し、それは、１１と等しいディスクの値である。竜頭の加圧は、３４の順序値に対応する、ＩＩＩと等しくされた年の周期の数を呼び出し、更に差３４−１１＝２３は、比較器−減算器で｜１８｜と比較される。この差が｜１８｜よりも大きければ、信号ＳR はレベル−１に達し、ある姿勢から反時計まわりにディスクは駆動される。続いて新しいディスクの値は、カウンタ３１で１０になる。再び新しいディスクの値は変更されない順序値から減じられ、更にディスクの値が順序値と等しくなりかつディスクの回転がＩＩＩを表示するために停止されるまで、オペレーションは循環して継続する。月の日の表示への命令による又は自動的な戻りは、命令及びそれぞれＳC ＝１１及びＳD ＝３４であるディスクの値によって開始する比較可能な方法に従ってもたらされる。
【００２６】
上述された中で暗黙の内に想定されてきたこととして、ディスクを駆動するホイールの歯の数は姿勢の数と同数であったが、当然のこととして、開始回路３３は、ディスクの一つの姿勢から次の姿勢まで移動するのに必要な数のステップをモータＭ2 に実行させるのに適する。同等の方法では、マルチプレクサ２４は、変更されて、表示部の各領域の記号によって占められる姿勢を考慮することも可能である。
【００２７】
図３は、本発明に関する時計の他の例を示し、固定されたディスク７と、中央の針８で構成される表示器７とを有する、３８の有益な姿勢を具備する。表示部４は二つの領域４ａ及び４ｂに分割され、それらは、それぞれ月の日のための３１の姿勢と、三つの最初の文字によって示された週の日のための７の姿勢とに対応する。領域４ｂの姿勢の角度部分は領域４ａの姿勢の角度部分よりも大きいために、例えば歯付き駆動ホイールは８３の歯を有し、領域４ａの一つの姿勢は２の歯に相当し、更に領域４ｂの一つの姿勢は３の歯に対応する。図２の電気回路では、主要なブロック２０は週の７の日のために付加的なカウンタを有し、更にマルチプレクサ２４は変更されて、順序信号ＳC は、各領域の異なる数のステップを考慮する。
【００２８】
もちろん、説明された例は、従来の技術に組み込むことも可能である。図１に示された例では、例えば、月の日及び年の周期の表示部に加えて、月の日の１２の最初の姿勢の月の数の表示部を有することが可能である。同様に、このことが技術的及び審美的な理由によって強いられる場合には、異なる種類の時間情報を有する少なくとも二つの領域を有するけれども、時間情報を有さない一つ又は幾つかの異なる領域を有することが可能である。
【００２９】
当業者ならば、本発明の範囲から逸脱することなく、他の変形又は適合を付加することが可能である。
【図面の簡単な説明】
【００３０】
【図１】図１は、月の日と、年の周期の数とを示す、本発明に関する携帯時計の概略を示す。
【図２】図２は、図１の携帯時計の回路図を示す。
【図３】図３は、月の日と、週の日とを示す、本発明に関する携帯時計の第二の実施形態の概略を示す。
【符号の説明】
【００３１】
４    表示部
４ａ、４ｂ    領域
【図１】
2007041011.tif 000003
【図２】
2007041011.tif 000004
【図３】
2007041011.tif 000005